(57)【要約】【課題】  冷却効果や除湿効果が高い空気流通式敷寝具を提供する。【解決手段】  水平面に敷かれて就寝者が就寝するとともに就寝者の体表温度より低い温度の空気を内部に流通させて就寝者の体表温度を下げるベッドパッド１１であって、ベッドパッド１１の内部に流入する空気が流入前に所定湿度に調節され、ベッドパッド１１の上方面に形成された複数の空気放出口１１ａから所定湿度に調節された空気が就寝者に向けて放出される構成とした。【選択図】  図３
2011104214.tif 000002
【特許請求の範囲】
【請求項１】
水平面に敷かれて就寝者が就寝するとともに、就寝者の体表温度より低い温度の空気を内部に流通させて就寝者の体表温度を下げる空気流通式敷寝具であって、
前記空気流通式敷寝具の内部に流入する空気が流入前に所定湿度に調節され、前記空気流通式敷寝具の垂直方向上方面に形成された複数の空気放出口から所定湿度に調節された空気が外部に放出されることを特徴とする空気流通式敷寝具。
【請求項２】
前記空気流通式敷寝具の長手方向に就寝者が仰臥しているときに、前記複数の空気放出口が就寝者の背中、腰、臀部の少なくともいずれかの位置に配置される請求項１に記載の空気流通式敷寝具。
【請求項３】
前記空気流通式敷寝具が、ベッドのマットレスの垂直方向上方面に敷かれてベッドパッドとして使用される請求項１または請求項２に記載の空気流通式敷寝具。
【発明の詳細な説明】
【技術分野】
【０００１】
本発明は、敷寝具内に空気を流入させ、就寝時に人体から発生する熱や発汗による湿気を除去する空気流通式敷寝具に関するものである。
【背景技術】
【０００２】
従来、この種の空気流通式敷寝具としては、特許文献１に記載されたものがある。この空気流通式敷寝具は、就寝者の体表近傍に体表温度よりも低い空気を流通させ、体表近傍の温度勾配を大きくする空気流通式敷寝具が知られている。この様な寝具は、空気流通式敷寝具を、袋体を構成する表裏両側地間にスペーサを介して空気流通路を構成したものとし、袋体の両端部にそれぞれ空気流通路への空気送入口および空気排出口を設けるとともに、袋体内の空気を袋体外に排出する第３の開口部を、就寝者の体表と袋体との接する面と反対側の袋体の面に開口させた空気流通式寝具である。
【先行技術文献】
【特許文献】
【０００３】
【特許文献１】特開２００９−１８３３５４号公報
【発明の概要】
【発明が解決しようとする課題】
【０００４】
しかしながら、特許文献１に示す空気流通式敷寝具では、敷寝具内部に流入した空気が敷寝具側面からそのまま流出される構成であり、就寝者が接する表側地の断熱作用のために冷却効果や除湿効果が十分でないという問題がある。
【０００５】
そこで、上記した問題点に鑑み、本発明の課題は、冷却効果や除湿効果が高い空気流通式敷寝具を提供する。
【課題を解決するための手段】
【０００６】
上記課題を解決するため講じた手段は、水平面に敷かれて就寝者が就寝するとともに就寝者の体表温度より低い温度の空気を内部に流通させて就寝者の体表温度を下げる空気流通式敷寝具であって、前記空気流通式敷寝具の内部に流入する空気が流入前に所定湿度に調節され、前記空気流通式敷寝具の垂直方向上方面に形成された複数の空気放出口から所定湿度に調節された空気が外部に放出される空気流通式敷寝具とした。
【０００７】
この場合、前記空気流通式敷寝具の長手方向に就寝者が仰臥しているときに、前記複数の空気放出口が就寝者の背中、腰、臀部の少なくともいずれかの位置に配置されると良い。
【０００８】
また、前記空気流通式敷寝具が、ベッドのマットレスの垂直方向上方面に敷かれてベッドパッドとして使用されると良い。
【発明の効果】
【０００９】
本発明によれば、空気流通式敷寝具の内部に流入する空気が流入前に所定湿度に調節され、空気流通式敷寝具の垂直方向上方面に設けられた複数の空気放出口から所定湿度に調節された空気が外部に放出される。その空気が直接就寝者に触れるため、高い冷却効果と除湿効果が得られる。
【００１０】
また、本発明によれば、空気流通式敷寝具の長手方向に就寝者が仰臥しているときに、空気放出口が就寝者の背中、腰、臀部の少なくともいずれかの位置に配置されるため、就寝者の特定部位を効果的に冷却、除湿可能となる。
【００１１】
更に、本発明によれば、前記空気流通式敷寝具が、ベッドのマットレスの垂直方向上方面に敷かれてベッドパッドとして使用されるため、就寝者が湿気を含みやすいマットレスに直接触れることがない上、効果的に冷却、除湿可能となる。
【図面の簡単な説明】
【００１２】
【図１】本発明に係る空気流通式敷寝具がベッドのマットレスに載置され、就寝者が仰臥していることを示す平面図である。
【図２】図１に示すＡ視側面図である。
【図３】本発明に係る空気流通式敷寝具の就寝者が接するメッシュ地を取除いた平面図である。
【図４】図３に示す拡大Ｂ‐Ｂ断面図である。
【図５】図３に示す拡大Ｂ‐Ｂ断面図であり、空気流通式敷寝具の他の変形例である。
【発明を実施するための形態】
【００１３】
以下、本発明の実施形態のベッドパッド（空気流通式敷寝具）１１を図面に基づいて説明する。
【００１４】
図１および図２に示すように、ベッド２のフレーム２ａ上にマットレス３が載置され、さらにマットレス３の上方面（垂直方向上方面）３ａ上にベッドパッド１１が載置されている。ベッドパッド１１は、その４辺がマットレス３の上方面３ａの４辺に重なるように載置される。したがって、ベッドパッド１１の図１での面積は、マットレス３の上方面３ａの面積とほぼ同じである。
【００１５】
図１および図２は、就寝者がベッドパッド１１の長手方向に仰臥して就寝する様子を示している。この状態において、就寝者の背中、腰、臀部の少なくともいずれかがベッドパッド１１の上方面１１ａ（垂直方向上方面）に形成された複数の空気放出口１１ｂに重なる（図３参照）。なお、ベッドパッド１１の就寝者が接する上方面１１ａは、空気透過性の大きいメッシュ地１１ｋで覆われていて、空気放出口１１ｂが就寝者に直接触れることはない。
【００１６】
図３および図４に示すように、ベッドパッド１１は、扁平な直方体形状を呈し、その側面１１ｃには、就寝者の体表温度より低い温度の空気をベッドパッド１１内に導入するための空気流入口１１ｄが設けられている。空気流入口１１ｄは、ホース１２等で除湿空気発生器１３に接続される。なお、本実施形態では、空気流入口１１ｄは、側面１１ｃにそれぞれ一箇所ずつ設けられているが、ベッドパッド１１の就寝者の足側の面１１ｅに１箇所ないし複数箇所設けてもよい。
【００１７】
除湿空気発生器１３は、空気吸入口１３ａから空気を吸い込み、就寝者の体表温度より低い温度で且つ所定の湿度の空気とした後、空気排出口１３ｂからホース１２を介して空気流入口１１ｄに空気を流入させ、空気流入口１１ｄからベッドパッド１１の内部に空気を送り込む。
【００１８】
図４に示すように、ベッドパッド１１は、カバー上布地１１ｇとカバー下布地１１ｈとカバー側面布地１１ｉとからなり、内部が空洞となっている。その空洞に多数のクッション材１１ｊが充填されている。クッション材１１ｊは、不規則に並べられているため相互に隙間を有し、空気流入口１１ｄから流入する就寝者の体表温度より低い温度で且つ所定の湿度の空気がこの隙間を流通する。また、クッション材１１ｊは、ポリウレタン、ポリエチレン等の多孔質材を用いており、それ自体空気透過性が大きく、クッション材１１ｊ中も空気が流通する。
【００１９】
図３および図４に示すように、ベッドパッド１１のカバー上布地１１ｇには、ベッドパッド１１の内部に流入した就寝者の体表温度より低い温度で且つ所定の湿度の空気をベッドパッド１１の外部へ放出するための複数の空気放出口１１ｂが設けられている。
【００２０】
就寝者がベッドパッド１１の長手方向に仰臥しているとき、複数の空気放出口１１ｂは、就寝者の背中、腰、臀部の少なくともいずれかがベッドパッド１１の複数の空気放出口１１ｂに重なるように形成されている。また、空気放出口１１ｂは、ベッドパッド１１の長手方向中心軸に近いほどその開口径が大きく形成され、就寝者の体幹部に対してより大量の空気を放出する。なお、前述したように、ベッドパッド１１の就寝者が接する上方面１１ａは、空気透過性の大きいメッシュ地１１ｋで覆われていて、空気放出口１１ｂが就寝者に直接触れることはない。
【００２１】
本実施形態においては、就寝者の背中に対応する空気放出口１１ｂはマトリックス状に形成され、ベッドパッド１１の長手方向中心軸に対して左右方向（長手方向に対して直角方向）に対称に７列、長手方向に６段に形成されている。空気放出口１１ｂの穴径は、これに限定されるものではないが、例えば、中央の３列が２５ｍｍ、外側の２列がともに１２ｍｍである。また、ベッドパッド１１のヘッドボード側側面１１ｆから３９０ｍｍに空気放出口１１ｂの第１列目が形成され、穴ピッチ６０ｍｍにて２列目、３列目と続く。左右方向の穴ピッチは、６５ｍｍである。
【００２２】
就寝者の腰あるいは臀部に対応する空気放出口１１ｂはマトリックス状に形成され、背中に対応するマトリックス状に形成された空気放出口１１ｂから長手方向に所定間隔離れた状態で、ベッドパッド１１の長手方向中心軸に対して左右方向（長手方向に対して直角方向）に対称に７列、長手方向に６段に形成されている。空気放出口１１ｂの穴径は、これに限定されるものではないが、例えば、中央の３列が２５ｍｍ、外側の２列がともに１２ｍｍである。また、ベッドパッド１１のヘッドボード側側面１１ｆから８２６ｍｍに空気放出口１１ｂの第１列目が形成され、穴ピッチ６０ｍｍにて２列目、３列目と続く。左右方向の穴ピッチは、６５ｍｍである。
【００２３】
ベッドパッド１１の長手方向寸法は１９７０ｍｍ、左右方向寸法は９７０ｍｍ、厚さは２０ｍｍである。
【００２４】
なお、上記各種寸法は、ベッド種類、ベッドグレード等により適宜変更が可能である。
【００２５】
図５は、上記したベッドパッドの他の変形例を示す。
【００２６】
ベッドパッド１１１の内部の空洞には、それ自体空気透過性が小さいスペーサ１１１ｊが組み入れられ、空気流通路１１１ｍが複数形成されている。スペーサ１１１ｊはポリエチレン、ウレタン等であり、適度の弾性を有するが就寝者の体重による変形が少なく、空気流通路１１１ｍが閉塞されることがない。
【００２７】
本実施形態によれば、ベッドパッド１１、１１１の内部に流入する空気が流入前に所定湿度に調節され、ベッドパッド１１、１１１の上方面１１ａ、１１１ａに設けられた複数の空気放出口１１ｂ、１１１ｂから所定湿度に調節された空気が外部に放出され、その空気が直接就寝者に触れるため、高い冷却効果と除湿効果が得られる。
【００２８】
また、ベッドパッド１１、１１１の長手方向に就寝者が仰臥しているときに、空気放出口１１ｂ、１１１ｂが就寝者の背中、腰、臀部の少なくともいずれかの位置に配置されるため、就寝者の特定部位を効果的に冷却、除湿可能となる。
【００２９】
さらに、ベッドパッド１１、１１１が、ベッド２のマットレス３の上方面３ａに敷かれてベッドパッドとして使用されるため、就寝者が湿気を含みやすいマットレス３に直接触れることがない上、効果的に冷却、除湿可能となる。
【符号の説明】
【００３０】
２    ベッド
３    マットレス
３ａ    上方面（垂直方向上方面）
１１、１１１    ベッドパッド（空気流通式敷寝具）
１１ａ、１１１ａ    上方面（垂直方向上方面）
１１ｂ、１１１ｂ    空気放出口
【図１】
2011104214.tif 000003
【図２】
2011104214.tif 000004
【図３】
2011104214.tif 000005
【図４】
2011104214.tif 000006
【図５】
2011104214.tif 000007